(57)【特許請求の範囲】
【請求項１】
陳列板、一対の側板、背板、及び当該背板に連接する広告表示板を有する陳列台であって、前記広告表示板の上端部には前記広告表示板を起立させたときに背面側へ突出する突出表示部が連接されており、前記背板の背面には、前記広告表示板を起立させた状態で保持する起立保持部材が折り畳まれて配置されていて、前記起立保持部材が折り畳まれている時には、前記広告表示板を前に倒してその両側端を前記一対の側板の上に乗せることにより前記広告表示板が天板となり、前記突出表示部が上に突出し、該突出表示部の前面に広告表示が行われていることを特徴とする陳列台。
【請求項２】
請求項１に記載の陳列台であって、前記突出表示部には前記突出表示部の突出を保持する突出保持部材が連接されていることを特徴とする陳列台。
【請求項３】
請求項２に記載の陳列台であって、前記突出保持部材の一部には前記起立保持部材を伸ばした時にその先端を挿入する挿入孔が形成されており、前記起立保持部材の上端部を前記挿入孔に挿入することにより前記広告表示板を起立させた状態で保持することを特徴とする陳列台。
【請求項４】
請求項３に記載の陳列台であって、前記突出保持部材は前記突出表示部を側面の１つと
する四角筒状であり、前記挿入孔は前記突出表示部とは反対側の側面に形成されていることを特徴とする陳列台。
【請求項５】
請求項１〜４のいずれか１に記載の陳列台であって、前記一対の側板の内側面には、前記陳列板と前記一対の側板の間及び前記背板と前記一対の側板の間を接続する折り畳み可能な側面接続部材が貼り付けられていて、前記側面接続部材を折り畳むことにより、前記陳列板が前記背板に向かい合うように折り畳まれることを特徴とする陳列台。
【請求項６】
請求項５に記載の陳列台であって、前記一対の側板は、それぞれに接続された前記側面接続部材を折り畳むことにより前記陳列板の下に折り畳まれることを特徴とする陳列台。
【発明の詳細な説明】
【技術分野】
【０００１】
本発明は、店舗等において商品を陳列するのに用いる陳列台に関する。
【背景技術】
【０００２】
従来、店舗等において特に消費者の購買意欲を高めることを目的として、商品棚内若しくは商品棚の隣に陳列台を配置することにより、当該陳列台に載置した商品を目立たせる販売手法がある。
【０００３】
このような陳列台においては、別の場所への移動や、商品の売り切れ時及び販売終了時には簡単に持ち運びができることが求められる。そこで、輸送時には小さく折り畳むことが可能であり、かつ、陳列時には複雑な工程を経ることなく人手で容易に組み立てることが可能な折り畳み式の陳列台が多く提案されている。
例えば特許文献１では、陳列面部を上方に跳ね上げて枠部を折り畳むことにより、輸送時には平面に近い状態で持ち運びが可能な陳列棚が開示されている。
【０００４】
しかし、特許文献１のような陳列台及び陳列棚では全て折り畳むか全て展開するかの２通りしかなく、陳列スペースに合わせた組み立て及び折り畳みには対応できなかった。
【０００５】
また、陳列台においては商品の広告表示を兼ね備えているものが多くある。これらの広告表示機能付きの陳列台においては、店舗及び他商品の配置スペースの問題から、横幅方向に大きな広告スペースを取ることは難しい場合が多いため、陳列台の側板幅に少量の広告表示を行うか、商品の上に突出した部分に広告表示を行っている。
【０００６】
商品の上に突出した部分に広告表示を行う場合、輸送時には省スペースであり、かつ、陳列時には大きな広告スペースを確保することを目的とした陳列台が多く提案されている。これらは、陳列台の背面に設けた起立保持部材により、輸送時には背板の裏側に折り畳まれているか別部材としてバラバラになっている広告表示部を陳列時には背板の後方若しくは上方に立たせた状態で維持できるようになっている。
例えば、特許文献２では、背板の背面に一対の柱板を設け、両柱板の間を梁板で固定して背板の折れ曲がりを防止することにより、背板を伸直させた状態で固定することができる陳列台の構造が開示されている。
【０００７】
しかし、特許文献２のような陳列台では常に背板を伸直させた状態で利用することが想定されており、商品棚の中段等で陳列スペースを大きく取れないような場所では利用することが出来なかった。
【０００８】
そこで、店舗のスペースや他の商品の陳列状態に応じて多様な形態で商品を展示することができる展示台も提案されている（特許文献３）。
特許文献３では、吊り下げ展示、載置展示の２通りでの展示が可能な展示台が開示されている。
【０００９】
しかし、特許文献３のような展示台では上段展示棚の上方の背板部分は固定されており、いずれの展示方法においても常に上段展示の上方に広いスペースを必要とするため、上方スペースが限られた陳列スペースでは利用することができず、近年求められる省スペース展示に十分に対応できるものとは言い難かった。
【００１０】
公知文献を以下に示す。
【先行技術文献】
【特許文献】
【００１１】
【特許文献１】特許第５５５２５７９号公報
【特許文献２】特開平１０−３１３９９０号公報
【特許文献３】特開２０１２−１３５４７２号公報
【発明の概要】
【発明が解決しようとする課題】
【００１２】
本発明は上記のような事情に鑑みてなされたもので、陳列スペースに合わせて大きさの異なる広告表示部を使い分けることが可能な陳列台を提供することを課題とする。
【課題を解決するための手段】
【００１３】
本発明は係る課題に鑑みなされたものであり、本発明の陳列台は、陳列板、一対の側板、背板、及び当該背板に連接する広告表示板を有する陳列台であって、前記広告表示板の上端部には前記広告表示板を起立させたときに背面側へ突出する突出表示部が連接されており、前記背板の背面には、前記広告表示板を起立させた状態で保持する起立保持部材が折り畳まれて配置されていて、前記起立保持部材が折り畳まれている時には、前記広告表示板を前に倒してその両側端を前記一対の側板の上に乗せることにより前記広告表示板が天板となり、前記突出表示部が上に突出し、該突出表示部の前面に広告表示が行われていることを特徴とする。
【００１４】
また、本発明の陳列台は、前記突出表示部には前記突出表示部の突出を保持する突出保持部材が連接されていても良く、前記突出保持部材の一部には前記起立保持部材の上端部を挿入する挿入孔が形成されており、前記起立保持部材を伸ばした時にその先端を前記挿入孔に挿入することにより前記広告表示板を起立させた状態で保持するようになっていても良い。
このとき、前記突出保持部材は前記突出表示部を側面の１つとする四角筒状であり、前記挿入孔は前記突出表示部とは反対側の側面に形成されていても良い。
【００１５】
また、本発明の陳列台の前記一対の側板の内側面には、前記陳列板と前記一対の側板の間及び前記背板と前記一対の側板の間を接続する折り畳み可能な側面接続部材が貼り付けられていて、前記側面接続部材を折り畳むことにより、前記陳列板が前記背板に向かい合うように折り畳まれるようになっていても良い。
このとき、前記一対の側板は、それぞれに接続された前記側面接続部材を折り畳むことにより前記陳列板の下に折り畳まれていても良い。
【発明の効果】
【００１６】
本発明の陳列台は、背板に連接する広告表示板の上端部に、前記広告表示板を起立させたときに背面側へ突出する突出表示部が連接されており、前記広告表示板を前に倒してその両側端を前記一対の側板の上に乗せることにより前記広告表示板を天板とする形態でも使用することが可能である。また、背板の背面には広告表示板を起立させた状態で保持するための起立保持部材が折り畳まれて配置されている。この構成により、前記広告表示板を起立させた状態では前記広告表示板を広告表示部とし、前記広告表示板を前に倒した上体では前記突出表示部を広告表示部とすることが可能となる。
すなわち、上方に大きなスペースを確保することが可能な商品棚の最上段等では前記広告表示板を起立させた状態で使用し、上方に大きなスペースを確保することが難しい商品棚の中段等では前記広告表示板を前に倒した状態で前記突出表示部を広告表示部として使用することができるため、陳列スペースに合わせた商品の陳列及び展示が広告表示機能を付与した形態で可能となる。
【００１７】
また、前記突出表示部の突出を保持する突出保持部材を有することにより、前記突出表示部を広告表示部として使用する際に前記突出表示部を起立させた状態に保つことができるため、小さなスペースであっても十分な広告表示機能を果たすことが可能となる。
【００１８】
また、前記突出保持部材の一部に前記起立保持部材の先端を挿入するための挿入孔が形成されていることにより、前記広告表示板を起立させた状態を安定的に維持することが可能となる。
【００１９】
また、前記突出保持部材の形状を、前記突出表示部を側面の１つとする四角筒状として、前記突出表示部とは反対側の側面に前記挿入孔を形成することにより、前記広告表示板を起立させたときに前記挿入孔が前記突出保持部材の下面となるため、前記起立保持部材の上端部の挿入を容易に行うことができ、より安定した起立状態の維持が可能となる。
【００２０】
また、一対の側板の内側面には、前記陳列板と前記一対の側板の間及び前記背板と前記一対の側板の間を接続する折り畳み可能な側面接続部材が貼り付けられていて、前記側面接続部材を折り畳むと前記陳列板が前記背板に向かい合うように折り畳まれる構成とすることにより、輸送時には平面に近い形での持ち運びが可能となり、輸送コストを抑えることができる。一方、陳列時には前記陳列板と前記背板とを持ち両側に広げるようにすることにより、前記側面接続部材が開いた状態となり、一瞬で陳列状態とすることが可能となる。
【００２１】
また、前記一対の側板を前記陳列板の下に折り畳まれる構成とすることにより、輸送時の大きさをさらに小さくすることが可能となり、輸送コストをさらに低減することが可能となる。
【図面の簡単な説明】
【００２２】
【図１】本発明の陳列台における広告表示板を起立させた状態の実施形態を模式的に示した説明図である。
【図２】本発明の陳列台における広告表示板を前に倒した状態の実施形態を模式的に示した説明図である。
【図３】図１の陳列台を背面から見た状態を模式的に示した説明図である。
【図４】本発明の陳列台の実施形態を右側面から見た状態を模式的に示した説明図であり、（ａ）は広告表示板を起立させた状態、（ｂ）は広告表示板を前に倒した状態である。
【図５】本発明の陳列台の展開図を模式的に示した説明図である。
【図６】本発明の陳列台を展開状態から組み立てる組立途中の模式的な説明図である。
【図７】（ａ）本発明の陳列台を陳列状態から折り畳む折り畳み途中の模式的な説明図である。（ｂ）本発明の陳列台の折り畳みが完了した状態を模式的に示した説明図である。
【発明を実施するための形態】
【００２３】
以下、本発明を実施するための実施形態につき図面を参照して説明する。
【００２４】
本発明の陳列台１は、陳列板２、一対の側板３、背板４、広告表示板５を備えており、図１に示すように広告表示板５を起立させた状態で使用することもできるし、図２に示すように、広告表示板５を前に倒した状態で広告表示板５の上端部に連接された突出表示部７を広告表示部として使用することもできる。
このとき、突出表示部７の上端部に突出表示部７の突出を保持するための突出保持部材８が連接されていることが好ましい。
【００２５】
また、図３に示すように、背板４の背面には広告表示板５を起立させた状態で保持するための起立保持部材６が配置されている。起立保持部材６は折り畳みが可能であり、広告
表示板５の起立を保持する場合には伸ばした状態で使用する。
【００２６】
なお、広告表示板５の起立を保持する際には、図３及び図４（ａ）に示すように、起立保持部材６を伸ばすだけでなく突出保持部材８に設けた挿入孔９に起立保持部材６の上端部を差し込むことにより、安定した起立状態を維持することが可能となる。
【００２７】
挿入孔９は、図３では１つしか設けていないが、例えば起立保持部材６の上端部を複数の凸部を有する凹凸形状として、当該凸部に合致する形状の孔を当該凸部の数だけ設けることもできるし、起立保持部材６を複数個横に並べて配置し、それぞれの起立保持部材６の上端部が挿入できるように起立保持部材６の数だけ設けることも可能である。起立保持部材６及び挿入孔９は１つずつであっても、広告表示板５の起立を保持する効果を十分に得ることが可能であるが、複数個設けることによってさらに強固に起立状態を維持することが可能となる。
また、挿入孔９の形状も特に限定されず、起立保持部材６の上端部を差し込んで広告表示板５の起立を保持できる構成であれば良い。
【００２８】
突出保持部材８は突出表示部７を側面の１つとする四角筒状とし、突出表示部７とは反対側の側面に挿入孔９を形成することが好ましい。しかし、これに限らず、突出表示部７が広告表示板５に対して略直角に突出し、起立保持部材６の上端部を挿入しやすい挿入孔９を設けることができればどのような形状でも良い。例えば、広告表示板５と突出表示部７の間の角度を直角とする直角三角筒状としても良いし、突出表示部７の上端から広告表示板５の裏面へ円弧を描くような形状としても良い。
【００２９】
また、図３に示すように、突出保持部材８には、四角筒の側面のうち突出表示部７と挿入孔９形成面に挟まれた側面に、その一部を折り曲げて四角筒の中空間を埋めるようにすることにより突出表示部７の突出を安定して支える突出安定機構８１を有することが好ましい。突出安定機構８１は、図３に示すように左右に１箇所ずつ設けても良いし、どちらか片方でも良く、左右非対称に複数個所設けても良いが、組み立ての手間と突出を安定して支える効果を考慮すると左右１箇所ずつ設ける形態が最も好ましい。
【００３０】
陳列台１を使用する際、上方に大きなスペースを確保できる商品棚の最上段等に載置して使用する場合には、図４（ａ）に示すように、広告表示板５を起立させると共に起立保持部材６を伸ばしてその上端部を挿入孔９に挿入することにより広告表示板５の起立を保持した状態で使用する。このとき、背板４の上方に連接された広告表示板５で広告表示を行うことにより、商品の高さより高い位置で広告表示を行うことができるため、高い広告表示効果を得ることが可能となる。
【００３１】
また、上方に大きなスペースを確保することが難しい商品棚の中段等に載置して使用する場合には、図４（ｂ）に示すように、広告表示板５を前に倒して両端を一対の側板３の上に乗せて天板とする。このとき、広告表示板５に連接された突出表示部７が当該天板の上方に突出して広告表示機能を果たすことになる。広告表示を行う突出表示部７は、陳列台１の最前面で天板の上に突出した状態となるため消費者が視認しやすく、小さなスペースであっても最大限の広告表示効果を得ることが可能となる。
【００３２】
陳列台１は、図５に示すように、広告表示板５、突出表示部７、及び突出保持部材８を構成する広告表示部材５０、陳列板２及び背板４を構成する本体部材２０、一対の側板３、陳列板２と一対の側板３の間及び背板４と一対の側板３の間を接続する一対の側面接続部材３１、起立保持部材６の各部材から構成される。
【００３３】
陳列台１を構成する部材のうち、少なくとも本体部材２０は、商品を陳列した状態での
移動も可能にすることを考慮した強度を必要とするため、両面段ボールが好適に用いられる。なお、陳列板２の上面２ａ及び背板４の前面４ａは美観性も考慮した化粧面とすることがより好ましい。
また、陳列板２の下面２ｂには、図５に示すような孔２ｃを形成し、陳列台１を商品棚等に載置したときに孔２ｃ内に収まるような部材を嵌合することにより横ずれ防止機能を付与することも可能である。
【００３４】
一方、広告表示板５は起立させたり前に倒したりして使用するため、折り曲げしやすく、かつ、起立を保てる程度の強度を必要とする。そこで、白ボール紙等の板紙が好適に用いられる。突出表示部７及び突出保持部材８は、広告表示板５の上端部に連接されるため重量が軽いものが好ましく、白ボール紙やマニラボール紙等の板紙が好適に用いられるが、図５に示したように広告表示部材５０全体で同一材料の同一板紙としても良い。
【００３５】
図５に示した広告表示部材５０を組み立てる際には、広告表示板５と突出表示部７の間、突出表示部７と突出表示部７及び挿入孔９形成面に挟まれた側面８ａの間、側面８ａと挿入孔９を設ける側面８ｂの間の折り畳み線をそれぞれ山折りし、側面８ｂと突出保持部材８の先端部８ｃとの間の折り畳み線を谷折りすることにより、突出表示部７及び突出保持部材８が四角筒状を成すように組み立てられる。
【００３６】
なお、突出表示部７と挿入孔９形成面に挟まれた側面８ａには、その一部を折り曲げて四角筒の中空間を埋めるようにすることにより突出表示部７の突出を安定して支える突出安定機構８１を有することが好ましい。
【００３７】
上述のようにして組み立てた広告表示部材５０は、図６に示すように、広告表示板５と折り畳み線を介して連接された下端部を糊代として背板４の背面４ｂに貼り付けることにより本体部材と一体にする。
【００３８】
起立保持部材６は、不要時には折り畳めるように折り畳み線を有しており、背板４の背面４ｂに貼り付けられる。起立保持部材６を１つとする場合には、背板４の左右方向略中央の位置に貼り付けられることが好ましい。また、起立保持部材６の材料としては、広告表示板５の起立をしっかりと支えることができるだけの強度を必要とするため、両面ダンボールが好適に用いられる。
なお、起立保持部材６のうち、背板４の背面４ｂに貼り付けられる部分は、折り畳み線で囲まれた下側中央部とする。これにより、不要時には横向き折り畳み線で折り畳むことにより縦方向に２つ折りされた状態とすることができる。
【００３９】
広告表示板５の起立を保持する際には、縦方向に２つ折りされた状態の起立保持部材６を伸ばした後、左右の縦向き折り畳み線をそれぞれ谷折することにより左右両側６１を背面方向に突出させる。そして、左右両側６１を背面方向に突出させた起立保持部材６の上端部を挿入孔９に挿入することにより、起立保持機能を発揮することができるようになる。
【００４０】
一対の側板３は、商品が横倒れしないよう支える役割を担うため、両面段ボールを用いるか、２枚の化粧板紙の間に発泡スチロール等の補強部材を挟んだものを用いることが好ましい。なお、補強部材を利用する場合には、少なくとも消費者から見える部分には化粧板紙を貼り付ける等して美観性も考慮する必要がある。
【００４１】
陳列板２及び背板４はそれぞれ２つ折りした構造となっており、２つ折りの間に側面接続部材３１の糊代部が挿入される。具体的には、図６に示したように、陳列板２の上面２ａと下面２ｂの間に側面接続部材３１の糊代部３２が、背板４の前面４ａと背面４ｂの間
には側面接続部材３１の糊代部３４が、それぞれ挿入される。
【００４２】
側面接続部材３１は、陳列台１の輸送時には小さく折り畳んで運ぶことができるようにするため、折り畳み線が設けられている。そして、側面接続部材３１のうち、背板４と接続する側の糊代部３４に近い方の領域３３は側板３の内側面に貼り付けられている。このような構成とすることにより、側面接続部材３１の折り畳み線に沿って折り畳むと陳列板２が背板４に向かい合うように折り畳むことができる。この折り畳みの途中の状態を示したのが図７（ａ）である。
【００４３】
また、陳列板２と背板４が向かい合うように折り畳まれた後さらに、一対の側板３が陳列板２の下方に折り畳まれる構成とすることもできる（図７（ｂ））。このような構成とすることにより、輸送時の陳列台１全体の横幅を縮めることができるため、輸送効率をさらに高めることが可能となる。
【００４４】
図７（ｂ）のように小さく折り畳まれた陳列台１を使用する際には、側板３を横に広げた後、図７（ａ）のように陳列板２と背板４とを持ち両側に広げるようにすることにより、側面接続部材３１が開いた状態となり、一瞬で陳列状態とすることが可能となる。その後、陳列スペースに合わせて、広告表示板５を起立させるか、広告表示板５を天板として突出表示部７を突出させるかして陳列台１の組み立てが完了する。
【符号の説明】
【００４５】
１・・・陳列台
２・・・陳列板
３・・・側板
４・・・背板
５・・・広告表示板
６・・・起立保持部材
７・・・突出表示部
８・・・突出保持部材
９・・・挿入孔
【図１】
0006661932.tif 000002
【図２】
0006661932.tif 000003
【図３】
0006661932.tif 000004
【図４】
0006661932.tif 000005
【図５】
0006661932.tif 000006
【図６】
0006661932.tif 000007
【図７】
0006661932.tif 000008